(57)【要約】【課題】ＨＤＭＩ入力端子を備える外部機器が表示装置のＨＤＭＩ入力端子に接続されている場合、各機器のＨＤＭＩ入力を表示装置で切換操作可能とする。【解決手段】テレビ装置７０はＨＤＭＩ入力端子を備え、そのＨＤＭＩ入力端子にＡＶアンプ６０などの外部機器が接続される。ＡＶアンプ６０はリピータ機能を有し、複数のＨＤＭＩ入力端子を備えている。そしてテレビ装置７０は、ＨＤＭＩ規格に基づくＣＥＣコマンドを使用して、ＡＶアンプ６０が備えるＨＤＭＩ入力端子のポート数を取得し、そのポート数を使用してテレビ装置７０に表示する入力切替メニューの入力数を拡張し、拡張した入力表示をそれぞれ選択可能とする。このようにＣＥＣコマンドを利用してＨＤＭＩ入力端子のポート数を取得することにより、テレビ装置７０側では、実際に備えられたＨＤＭＩ端子よりも多い入力端子が存在するかのような表示を行うことができる。【選択図】図３
2008034976.tif 000002
【特許請求の範囲】
【請求項１】
ＨＤＭＩ入力端子を備える表示装置において、該表示装置は、ＨＤＭＩ入力端子を備えた外部機器が、前記表示装置のＨＤＭＩ入力端子に接続されている場合、ＨＤＭＩ規格に基づくＣＥＣコマンドを使用して、前記外部機器が備えるＨＤＭＩ入力端子のポート数を取得し、該ポート数を使用して前記表示装置に表示する入力切替メニューの入力数を拡張して表示し、該拡張して表示した入力をそれぞれ選択可能とすることを特徴とする表示装置。
【請求項２】
請求項１に記載の表示装置において、前記外部機器は、前記表示装置のＨＤＭＩ入力端子に直接にまたは他の外部機器のＨＤＭＩ入力端子を介して間接に接続された外部機器を含み、前記表示装置は、各前記外部機器が備えるＨＤＭＩ入力端子のポート数を全て取得して前記入力切替メニューを拡張することを特徴とする表示装置。
【請求項３】
請求項１または２に記載の表示装置において、該表示装置は、前記入力切替メニューを拡張する際に、該表示装置が備えるＨＤＭＩ入力表示を拡張し、該表示装置が備えるＨＤＭＩ入力と、各前記外部機器が備えるＨＤＭＩ入力とを一つの入力切替メニューで同時に表示させることを特徴とする表示装置。
【請求項４】
請求項１ないし３のいずれか１に記載の表示装置において、該表示装置は、前記入力切替メニューから、前記外部機器が備える特定のＨＤＭＩ入力端子に対する入力が選択された場合、前記ＣＥＣコマンドを使用して、前記選択されたＨＤＭＩ入力端子を備える外部機器に対して前記選択された入力に対応するＨＤＭＩ入力端子からデータストリームが入力されるように指示することを特徴とする表示装置。
【請求項５】
請求項１ないし５のいずれか１に記載の表示装置において、該表示装置は、前記ＣＥＣコマンドを使用して、前記表示装置のＨＤＭＩ入力端子に直接または間接に接続された外部機器の種類を特定し、該特定した種類に応じて予め定めた情報を前記入力切替メニューに表示させることを特徴とする表示装置。
【請求項６】
請求項１ないし５のいずれか１に記載の表示装置において、該表示装置は、前記ＣＥＣコマンドを使用して、前記表示装置のＨＤＭＩ入力端子に直接または間接に接続された外部機器の接続階層を特定し、該特定した接続階層に応じて予め定めた情報を前記入力切替メニューに表示させることを特徴とする表示装置。
【請求項７】
請求項１ないし５のいずれか１に記載の表示装置において、該表示装置は、前記ＣＥＣコマンドを使用して、前記表示装置のＨＤＭＩ入力端子に直接または間接に接続される外部機器の状態を取得し、該取得した各外部機器の状態に応じて、前記入力切替メニューの入力表示を変化させることを特徴とする表示装置。
【請求項８】
請求項１ないし７のいずれか１の表示装置と、該表示装置のＨＤＭＩ入力端子に接続される外部機器とを備え、該外部機器は、前記表示装置の制御に応じて該外部機器が備えるＨＤＭＩ入力端子の入力を切り替えることを特徴とする表示システム。
【発明の詳細な説明】
【技術分野】
【０００１】
本発明は、表示装置及び表示システム、より詳細には、ＨＤＭＩ（High Definition Multimedia Interface）によるデジタルインタフェースによりＤＶＤ再生装置などの出力装置と接続可能な表示装置、及び該装置を備えた表示システムに関する。
【背景技術】
【０００２】
映像伝送用のデジタルインタフェースとしてＨＤＭＩが普及している。ＨＤＭＩは、ＰＣとディスプレイの接続標準規格であるＤＶＩに音声伝送機能や著作権保護機能を加えて、ＡＶ機器向けにアレンジしたものとなっている。
従来は機器間の接続にビデオ、オーディオ、コントロールの各信号用の複数のケーブルを用いていたが、ＨＤＭＩではケーブル１本で済み、コントロール信号は双方向の伝送に対応しているため、例えばモニタからＨＤＭＩで接続されたＳＴＢやＤＶＤプレーヤ等の出力装置にコントロール信号を中継することによって、一つのリモコンでホームシアタなどのＡＶシステム全体を操作することも可能となる。
【０００３】
このようなＨＤＭＩに関する先行技術として、例えば、特許文献１には、ＨＤＭＩ規格を含むマスター，スレーブ型のネットワークを形成し、ＤＤＣバス（一方向）とＣＥＣバス（双方向）との接続におけるルーティング決定方法と構成が開示されている。
【０００４】
また特許文献２には、ＨＤＭＩによる接続を使用して機器情報を取得し、各機器のフォーマット（映像・音声）変換を自動で行い、ユーザ設定作業を軽減する技術が開示されている。
さらに特許文献３には、ＨＤＭＩ対応のデータ送信機器とＨＤＭＩ対応のデータ受信機器間で仕様が異なる場合に自動でマッチングする技術が開示されている。
【特許文献１】特表２００５−５２８８５３号公報
【特許文献２】特開２００５−５１５４７号公報
【特許文献３】特開２００６−１２９２５６号公報
【発明の開示】
【発明が解決しようとする課題】
【０００５】
ＨＤＭＩ入力端子を備える表示装置として例えばテレビ装置がある。そしてテレビ装置のＨＤＭＩ端子には、ＨＤＭＩ出力が可能な出力機器やその出力機器のストリームを中継するリピータ機器などの外部機器が接続される。
テレビ装置に対して持続するリピータ機器として、例えばＡＶアンプが用いられる。ＡＶアンプにおいては、ＨＤＭＩ端子を複数備えるものも多い。ここで例えば、テレビ装置のＨＤＭＩ入力端子が一つで、その入力端子にＡＶアンプを接続し、さらにそのＡＶアンプのＨＤＭＩ入力端子に複数の出力装置、例えばＨＤＤレコーダとＤＶＤプレーヤとを接続した構成を考える。
【０００６】
このとき、テレビ装置には入力端子が一つしか設けられていないため、テレビ装置の表示画面に表示させる入力切替メニューには、ＨＤＭＩ入力は一つしか表示されない。例えば図８は、ＨＤＭＩ入力端子を一つ備えるテレビの入力切り換えメニューの一例を示す図である。ここでＨＤＭＩ入力表示が入力５であるものとすると、このように一つの入力表示が行われるだけである。
【０００７】
つまり、リピータ機器としてのＡＶアンプが複数のＨＤＭＩ入力端子を備え、これらに複数の出力装置が接続されている場合であっても、一つのＨＤＭＩ入力端子しか持たないテレビ装置では、その入力切替メニューには一つの入力表示しか行われない。
この場合複数の出力装置のうち、ＡＶアンプを介したテレビ装置への入力を切り換える場合には、通常はＡＶアンプを操作してＡＶアンプからの出力を選択する必要がある。
【０００８】
このように、ＡＶアンプ等のリピータ機器を介して複数の出力装置と表示装置とをＨＤＭＩにより接続するとき、データストリームを表示装置に出力する出力装置を切り替える場合には、テレビの入力切替メニューではなく、リピータ機器を切替操作する必要があり、ユーザにとっては煩雑な操作が必要であった。
ユーザにとっては、リピータ機器に接続する複数の出力装置の切替をテレビの入力切替メニューから一括して操作することができれば、操作が簡便となってユーザに対する利便性を大きく高めることができる。上記のような特許文献の機器であっても、このような表示装置による入力切替に関する思想は開示されていない。
【０００９】
本発明は、上述のごとき実情に鑑みてなされたもので、ＨＤＭＩ入力端子を備える外部機器が表示装置のＨＤＭＩ入力端子に接続されている場合、各機器のＨＤＭＩ入力を表示装置で切替操作可能とした表示装置、及び該表示装置を備えた表示システムを提供することを目的とする。
【課題を解決するための手段】
【００１０】
上記課題を解決するために、本発明の第１の技術手段は、ＨＤＭＩ入力端子を備える表示装置において、ＨＤＭＩ入力端子を備えた外部機器が、表示装置のＨＤＭＩ入力端子に接続されている場合、表示装置は、ＨＤＭＩ規格に基づくＣＥＣコマンドを使用して、外部機器が備えるＨＤＭＩ入力端子のポート数を取得し、ポート数を使用して表示装置に表示する入力切替メニューの入力数を拡張して表示し、拡張して表示した入力をそれぞれ選択可能とすることを特徴としたものである。
【００１１】
第２の技術手段は、第１の技術手段において、外部機器が、表示装置のＨＤＭＩ入力端子に直接にまたは他の外部機器のＨＤＭＩ入力端子を介して間接に接続された外部機器を含み、表示装置は、各外部機器が備えるＨＤＭＩ入力端子のポート数を全て取得して入力切替メニューを拡張することを特徴としたものである。
【００１２】
第３の技術手段は、第１または第２の技術手段において、表示装置が、入力切替メニューを拡張する際に、表示装置が備えるＨＤＭＩ入力表示を拡張し、表示装置が備えるＨＤＭＩ入力と、各外部機器が備えるＨＤＭＩ入力とを一つの入力切替メニューで同時に表示させることを特徴としたものである。
【００１３】
第４の技術手段は、第１ないし第３のいずれか１の技術手段において、入力切替メニューから、外部機器が備える特定のＨＤＭＩ入力端子に対する入力が選択された場合、表示装置は、ＣＥＣコマンドを使用して、選択されたＨＤＭＩ入力端子を備える外部機器に対して選択された入力に対応するＨＤＭＩ入力端子からデータストリームが入力されるように指示することを特徴としたものである。
【００１４】
第５の技術手段は、第１ないし第５のいずれか１の技術手段において、表示装置が、ＣＥＣコマンドを使用して、表示装置のＨＤＭＩ入力端子に直接または間接に接続された外部機器の種類を特定し、特定した種類に応じて予め定めた情報を入力切替メニューに表示させることを特徴としたものである。
【００１５】
第６の技術手段は、第１ないし第５のいずれか１の技術手段において、表示装置が、ＣＥＣコマンドを使用して、表示装置のＨＤＭＩ入力端子に直接または間接に接続された外部機器の接続階層を特定し、特定した接続階層に応じて予め定めた情報を入力切替メニューに表示させることを特徴としたものである。
【００１６】
第７の技術手段は、第１ないし第５のいずれか１の技術手段において、表示装置が、ＣＥＣコマンドを使用して、表示装置のＨＤＭＩ入力端子に直接または間接に接続される外部機器の状態を取得し、取得した各外部機器の状態に応じて、入力切替メニューの入力表示を変化させることを特徴としたものである。
【００１７】
第８の技術手段は、第１ないし第７のいずれか１の技術手段による表示装置と、表示装置のＨＤＭＩ入力端子に接続される外部機器とを備え、外部機器は、表示装置の制御に応じて外部機器が備えるＨＤＭＩ入力端子の入力を切り替えることを特徴としたものである。
【発明の効果】
【００１８】
本発明によれば、ＨＤＭＩ入力端子を備える外部機器が表示装置のＨＤＭＩ入力端子に接続されている場合、各機器のＨＤＭＩ入力を表示装置で切替操作可能とすることにより、ユーザ操作性を向上させることができる。
また、このときにＨＤＭＩのＣＥＣコマンドを使用して、外部機器の種類やその動作状態、あるいは接続階層構成を表示装置が判別し、その判別結果に応じて入力切替メニューの表示を変更することにより、ユーザは、入力切替可能な外部機器の情報を容易に認識することができ、ユーザ操作性をさらに向上させることができるようになる。
【発明を実施するための最良の形態】
【００１９】
本発明の実施形態では、ＡＶアンプ等のリピータ機器を介して複数の出力装置と表示装置とがＨＤＭＩ接続される構成において、表示装置の入力切替メニューにおいて、あたかもその表示装置に複数のＨＤＭＩ入力端子が存在するかのように入力切替メニューを拡張することで、ユーザは表示装置のみを操作することにより複数の出力機器からの入力を任意に切り替えることができるようになる。
【００２０】
表示装置における切替機能の拡張には、ＨＤＭＩ規格に含まれるＣＥＣ(Consumer Electronics Control)を使用する。ここでは表示装置側でリピータ機器等の外部機器にＨＤＭＩ入力端子が何ポートあるのかを検出し、表示装置の入力切替機能を拡張して、ＨＤＭＩの入力端子分の切り替えを可能とする。
ＣＥＣは、ＨＤＭＩで規格化されている制御プロトコルであり、そのプロトコルに基づく制御信号であるＣＥＣコマンドを機器間でやりとりすることにより、表示装置における接続機器の入力構成を認識し、その入力切替動作を実行させるようにする。
【００２１】
なお本明細書でいうＨＤＭＩ入力端子とは、ＨＤＭＩ規格に基づいて映像／音声を含むデータストリームが入力する側のＨＤＭＩ端子を指すものとする。ＨＤＭＩの場合にＣＥＣコマンドやＥＤＩＤは双方向に伝送が可能であり、上記ＨＤＭＩ入力端子から相手機器に対してデータの伝送が行われることもある。
【００２２】
図１は、本発明の表示装置の一実施形態を説明するためのブロック図で、本発明の表示装置をテレビ装置に適用した例を示すものである。
テレビ装置１００は、デジタル放送信号を選局して復調するＴＶチューナ１０１と、復調した放送信号からＥＰＧデータの抽出や復調されたデータの分離を行うデマルチプレクサ１０２と、分離されたデジタル放送のビデオデータをデコードするビデオデコーダ１０３とを備えている。
【００２３】
またテレビ装置１００は、システム全体の制御を行うシステム制御部１０４と、システム制御部１０４からのバスの使用要求を受けてバスの使用許可を与えるバス調停部１０５とを有している。バス調停部１０５は、一時に一つのバスの使用要求があったときはただちに使用許可を与え、一時に複数の使用要求があったときは、すなわちバスの使用要求が競合したときは、予めシステム制御部１０４等に定められている優先度に従ってバスの使用許可を与える。
【００２４】
テレビ装置１００には、複数の外部入力Ｉ／Ｆ（外部入力１〜外部入力３）１０６，１０７，１０８と、ＨＤＭＩ機器からの入力Ｉ／Ｆ１０９とが設けられる。ＨＤＭＩ用のＩ／Ｆとしては、後述するＨＤＭＩレシーバやＣＥＣ Ｉ／Ｆなどが備えられる。これら複数の外部入力とＨＤＭＩ入力とを切り替えるために入力切替メニューが用意され、システム制御部１０４の記憶手段に保持される。
【００２５】
画像処理部１１０では、ノイズリダクション、スケーリングやＩＰ変換等の映像信号変換処理を適宜必要に応じて実施する。また画質強調補正処理やγ補正処理等の画質調整を適宜実施する。また画像信号変換処理において、各種の３次元画像処理を行うためにフレームメモリ１１２が使用される。デバイス駆動部１１１は、液晶パネル等の表示デバイス１１３を駆動制御して、画像処理部から出力された映像信号を表示デバイス１１３に表示させる。またテレビ装置１００には、ユーザが操作するリモートコントローラからの赤外線信号を受信する赤外線受光部１１４が設けられる。
【００２６】
図２は、本発明が適用可能なＡＶシステムの構成例を説明するためのブロック図で、出力装置１０と、リピータ機器２０と、表示装置３０とが接続されている構成を示すものである。リピータ機器２０及び出力装置１０は、本発明に関わる外部機器に該当する。そして出力装置１０とリピータ機器２０とはＨＤＭＩケーブルによって接続され、さらにリピータ機器２０と表示装置３０とがＨＤＭＩケーブルによって接続される。
【００２７】
出力装置１０は、例えばＨＤＭＩ出力端子を持つＤＶＤレコーダやＨＤＤレコーダ、Ｄ−ＶＨＳレコーダ、デジタルビデオカメラなどであり、リピータ機器は、ＨＤＭＩ入力端子と出力端子とをもつＡＶアンプなどであり、表示装置はＨＤＭＩ入力端子をもつ液晶テレビやモニタなどである。ＡＶアンプなどのリピータ機器が複数のＨＤＭＩ入力端子を持っていれば、複数の出力装置１０を接続することができ、ＡＶアンプのセレクタ機能によって入力ラインを切り替えることができる。
【００２８】
ＨＤＭＩケーブルは、デジタル信号である映像・音声信号を差動方式で伝送するためのＴＭＤＳ（Transition Minimized Differential Signaling）ライン（デジタル信号転送ライン）４１と、機器間で共通の制御信号（ＣＥＣコマンド）を伝送する双方向バスであるＣＥＣ（Consumer Electronic Control）ライン４２とを含んでいる。またこの他、ＨＤＭＩケーブルには、ＥＤＩＤ（Extended Display Identification Data）の送信やＨＤＣＰ認証等に利用される図示しないＤＤＣラインが含まれる。
【００２９】
ビデオ／音声を含むストリームは、ＴＭＤＳライン４１用いて伝送される。ＴＭＤＳライン４１はシリアル伝送路であり、例えば、赤（Ｒ），緑（Ｇ），青（Ｂ）のチャンネル毎の３つのデータ伝送路と、１つのクロック伝送路とが設けられている。Ｒ，Ｇ，Ｂに分解された映像信号は伝送路内をベースバンド信号で伝送され、音声信号は映像信号のブランキング期間に挿入されて映像信号と同時に伝送される。ＨＤＭＩは、５．１ｃｈや６．１ｃｈなどマルチサラウンドの音声信号の伝送にも対応しており、マルチサラウンド音声信号を映像信号に挿入して同時に伝送することができる。
【００３０】
また本発明に関わる表示装置３０の切替機能の拡張を行うために、ＣＥＣライン４２を介して転送されるＣＥＣコマンドが用いられる。上述のように、ＣＥＣはＨＤＭＩで規格化されている制御プロトコルであり、ＣＥＣコマンドはＣＥＣプロトコルに基づく制御信号である。そしてＣＥＣコマンドを用いて機器間で情報をやりとりすることにより、表示装置３０と接続機器との間で各種の動作制御を実現する。
【００３１】
出力装置１０は、ＨＤＭＩトランスミッタ１１、ＨＯＳＴ ＣＰＵ１２、フロントマイコン１３、ＣＥＣ Ｉ／Ｆ１４を備えている。ＨＤＭＩトランスミッタ１１は、例えばＤＶＤなどのメディアに記録されている映像データと音声データとを読み出し、音声信号が映像信号のブランキング期間に挿入されたＨＤＭＩ形式のストリームに変換する。そして、変換したストリームをＴＭＤＳライン４１によってリピータ機器２０へ転送する。ＨＯＳＴ ＣＰＵ１２は、ＨＤＭＩコントローラを含み、ＨＤＭＩトランスミッタ１１の動作を制御する。
【００３２】
ＣＥＣ Ｉ／Ｆ１４は、ＨＤＭＩケーブル１内のＣＥＣライン４２を接続し、リピータ機器２０との間でＣＥＣコマンドの双方向通信を可能とする。ＣＥＣ Ｉ／Ｆ１４の動作は、ＣＥＣコントローラを含むフロントマイコン１３により制御され、ＣＥＣコマンドによってＨＤＭＩ接続された機器を制御することができる。ＣＥＣの場合、ＨＤＭＩ接続された各機器の論理アドレス（機器の種別）と物理アドレス（機器の位置）が取得されるため、この論理アドレスと物理アドレスを指定することで所望の機器にＣＥＣコマンドを送信することができる。
【００３３】
ＨＯＳＴ ＣＰＵ１２は装置全体を制御する。またフロントマイコン１３は低電力で動作し、常にＣＥＣライン４２から転送されてくるＣＥＣコマンドを監視する。またリモコン装置があれば、そのリモコン信号の送信の有無を監視する。また装置のスタンバイモードなどによってＨＯＳＴ ＣＰＵ１２がダウンしているときも、フロントマイコン１３は動作している（少なくともＣＥＣコマンドの転送が可能な状態で動作する）。
【００３４】
リピータ機器２０は、ＨＤＭＩレシーバ２１、ＨＤＭＩトランスミッタ２２、ＨＯＳＴ ＣＰＵ２３、フロントマイコン２４、及びＣＥＣ Ｉ／Ｆ２５を備えている。リピータ機器２０は、出力装置１０から転送されたストリームをＨＤＭＩレシーバ２１で受信し、さらにＨＤＭＩトランスミッタ２２から送出して、表示装置３０に転送する。またＣＥＣ Ｉ／Ｆ２５によって、出力装置１０との間のＣＥＣライン４２と、表示装置３０との間のＣＥＣライン４２とを接続する。
【００３５】
ＨＯＳＴ ＣＰＵ２３とフロントマイコン２４は、上述の出力装置１０と同様の機能を備え、ＨＯＳＴ ＣＰＵ２３は、ＨＤＭＩレシーバ２１とＨＤＭＩトランスミッタ２２とを制御するともに装置全体を制御する。またフロントマイコン１３はＣＥＣコントローラを含み、ＣＥＣライン４２から転送されてくるＣＥＣコマンドを監視する。
【００３６】
またＡＶアンプなどのように、リピータ機器２０に複数のＨＤＭＩ入力端子がある場合、複数のＨＤＭＩ機器を出力装置１０として接続することができる。この場合、リピータ機器２０のセレクト機能より、表示装置３０に転送するストリームの入力ポートを適宜切り替えることができる。そしてストリームの入力ポートの切替は、表示装置３０に対する操作に応じたＣＥＣコマンドによって実現することができる。これらの動作例については後述する。
【００３７】
表示装置３０は、ＨＤＭＩレシーバを内蔵したＨＯＳＴ ＣＰＵ３１、モニターマイコン３２、ＣＥＣ Ｉ／Ｆ３３を備えている。表示装置３０は、リピータ機器２０から送出されたストリームをＨＤＭＩレシーバ内蔵のＨＯＳＴ ＣＰＵ３１で受信する。ＨＤＭＩレシーバはＨＯＳＴ ＣＰＵ３１と分離された構成であってもよい。またＣＥＣ Ｉ／Ｆ３３によって、リピータ機器２０との間のＣＥＣライン４２が接続される。
【００３８】
ＨＯＳＴ ＣＰＵ３１は、ＨＤＭＩレシーバを内蔵し、また装置全体を制御している。またモニターマイコン３２は、ＣＥＣライン４２のコントローラを含み、ＣＥＣライン４２から転送されてくるＣＥＣコマンドを監視する。またモニターマイコン３２は、リモコン装置３５からのリモコン信号を受信する受光部３４を制御している。そして装置のスタンバイモードなどにおいてＨＯＳＴ ＣＰＵ３１がダウンしているときでも、モニターマイコン３２が動作し、ＣＥＣコマンドの送受信とリモコン信号の受信とが可能な状態に維持される。
【００３９】
表示装置３０では、ＨＯＳＴ ＣＰＵ３１に内蔵されたＨＤＭＩレシーバによりストリームの映像／音声が分離され、必要に応じて所定の映像信号処理及び音声信号処理を行って、ディスプレイ等の表示画面に映像表示を行うとともに、スピーカから音声出力させる。またＨＤＭＩではない経路から映像／音声信号が入力する場合には、ビデオ／オーディオスイッチにより出力信号が切り替えられる。
【００４０】
図３は、本発明に関わるメニュー拡張機能を説明するための図である。本例では、表示装置（Ｓｉｎｋ）であるテレビ装置７０のＨＤＭＩ入力端子に対して、リピータ機器であるＡＶアンプ６０が接続される構成を考える。またＡＶアンプ６０のＨＤＭＩ入力端子には、複数の出力装置（Ｓｏｕｒｃｅ）が接続される。この場合、出力装置として、例えばＤＶＤプレーヤ５１，５２が２台接続されているものとする。各機器は、ＨＤＭＩ入力端子に取り付けたＨＤＭＩケーブルによって接続されている。
【００４１】
つまりテレビ装置７０のＨＤＭＩ入力端子には、ＡＶアンプ６０が直接に接続され、２台のＤＶＤプレーヤ５１，５２がＡＶアンプ６０を介して間接に接続されている。そしてこれらの機器は、テレビ装置７０に対して階層構造を形成している。ここではＡＶアンプ６０を第１階層、ＤＶＤプレーヤ５１，５２を第２階層とする。
【００４２】
図３のような構成において、テレビ装置７０では、ＨＤＭＩケーブルのＣＥＣラインを使用して、テレビ装置７０に接続されたＡＶアンプ６０のＨＤＭＩ入力端子のポート数の情報を得ることができる。つまり、テレビ装置７０では、所定のＣＥＣコマンドをＡＶアンプ６０に送信することにより、ＡＶアンプ６０から、そのＨＤＭＩ入力端子のポート数を出力させるようにする。
【００４３】
図４は、本発明が適用されたテレビ装置の入力切り換えメニューの一例を示す図である。テレビ装置７０のＨＤＭＩ入力端子の入力表示は入力５であるものとする。そして入力５に該当するＨＤＭＩ入力端子には、図３に示すような構成でＡＶアンプ６０とＤＶＤプレーヤ５１，５２が接続されているものとする。
【００４４】
そして上述のようなＣＥＣコマンドにより、ＡＶアンプのＨＤＭＩ入力端子のポート数を入手したテレビ装置７０の制御部は、入力切替メニューを拡張して図４に示すような切替メニューとして表示する。この場合、テレビ装置７０が備えるＨＤＭＩ入力５を、入力５−１と入力５−２、入力５−３の三つの入力に拡張して表示し、それぞれの入力をユーザに選択可能に表示する。
【００４５】
この場合、入力５−１は、テレビ装置７０が備えるＨＤＭＩ入力端子に対する入力であり、入力５−２は、ＡＶアンプ６０が備える二つのＨＤＭＩ入力端子の一方に対する入力であり、入力５−３は、ＡＶアンプが備える二つのＨＤＭＩ入力端子の他方に対する入力である。
【００４６】
ユーザは、図４のような入力切替メニューに対して、任意の入力を選択することができる。例えば、入力５−１を選択すれば、ＡＶアンプ６０から出力されるストリームが入力される。この場合、ＡＶアンプ６０によりテレビ装置７０に送信されるストリームは、いずれのＤＶＤプレーヤ５１，５２から出力されていてもよい。
【００４７】
一方、入力５−２または入力５−３が選択された場合、テレビ装置７０の制御部は、ＣＥＣコマンドによってＡＶアンプ６０に対して入力切替を指示する。ＡＶアンプ６０では、テレビ装置７０から送られたＣＥＣコマンドに従って、ＡＶアンプ６０のＨＤＭＩ入力端子を切り替えて、ユーザに指定されたＨＤＭＩ入力端子からストリームを入力可能な状態に設定する。またＡＶアンプ６０では、選択されたＨＤＭＩ入力端子が現在使用可能な状態に設定されていることを示すＣＥＣコマンドをテレビ装置７０に送る。
【００４８】
このように、ＣＥＣコマンドを利用してＨＤＭＩ入力端子のポート数を取得することにより、表示装置（ｓｉｎｋ）側では、実際に備えられたＨＤＭＩ端子よりも多い入力端子が存在するかのような表示を行うことができる。
【００４９】
図５は、本発明が適用されたテレビの入力切り換えメニューの他の例を示す図である。ここでは、テレビ装置７０のＨＤＭＩ入力端子に対して、ＡＶアンプ６０のようなリピータ機器が一台接続され、そのＡＶアンプ６０が一つのＨＤＭＩ入力端子を持っているものとする。
この場合には、上記の例と同様に、テレビ装置７０は、ＡＶアンプ６０からＣＥＣコマンドによるＨＤＭＩ入力端子のポート数を取得し、入力切替メニューのＨＤＭＩ入力５を二つの入力に拡張して、入力５−１，入力５−２とする。入力５−１は、テレビ装置７０が備えるＨＤＭＩ入力端子に対する入力であり、入力５−１は、ＡＶアンプ６０が備えるＨＤＭＩ入力端子に対する入力である。こうして、上記の例と同様に、あたかもテレビ装置７０に複数のＨＤＭＩ入力端子が存在するかのように入力切替メニューを拡張することができる。
【００５０】
また上記のような入力切替メニューを拡張表示するときに、接続されている機器の状態を認識して、その認識結果に応じてメニュー表示を変更するように設定してもよい。例えば、テレビ装置７０では、ＣＥＣコマンドにより外部機器の種類を特定し、その種類に応じた名称表示を行うようにすることができる。このときに外部機器の種類に応じて入力名称を変更したり、メニューの色を変更したりすることができる。またテレビ装置７０に対する外部機器の接続階層に応じて外部機器の表示を変更するようにしてもよい。あるいは接続されている外部機器の電源ｏｎ／ｏｆｆを判別し、その判別結果に応じてメニュー表示を変更するようにしてもよい。
【００５１】
例えば、図３に示すような構成において、テレビ装置７０では、ＨＤＭＩケーブルのＣＥＣラインを使用して、テレビ装置７０に接続された各外部機器の数とその設置位置情報を得ることができる。つまりテレビ装置７０のでは、ＣＥＣライン上に接続された機器から、ＣＥＣの物理アドレスと論理アドレスとを取得することにより接続機器の種類と位置情報を得ることができる。
【００５２】
例えば図３の例において、テレビ装置７０の物理アドレスは“０．０．０．０”であり、論理アドレスは“０”である。論理アドレスの割り当ては、ＨＤＭＩ規格によって定められている。またテレビ装置７０の下層（第１階層）に当たるＡＶアンプ６０の物理アドレスは“１．０．０．０”であり、論理アドレスは“５”である。さらにＡＶアンプの下層（第２階層）に当たるＤＶＤプレーヤ５１，５２の物理アドレスはそれぞれ“１．１．０．０”と“１．２．０．０”であり、論理アドレスはそれぞれ“４”，“８”である。このようなＣＥＣによるアドレス情報を取得することにより、テレビ装置７０では、ＡＶアンプ６０と、そのＡＶアンプ６０に接続された二つのＤＶＤプレーヤ５１，５２のツリー構造を知ることができる。
【００５３】
そしてテレビ装置７０の制御部では、上記のように入力切替メニューを拡張する際に、論理アドレスに応じた機器名称を表示させることができる。つまり接続された外部機器の論理アドレスに応じた機器名称データを予め用意し、外部機器から論理アドレスを取得したときに、そのアドレスに応じた機器名称を入力切替メニューに表示する。たとえば、上記のような入力５−１、入力５−２・・・の代わりに、機器名称の頭文字を一字表示させることができる。
【００５４】
例えば図６に示すように、論理アドレスがオーディオシステムであれば、入力切替メニューに“Ａ”を加えて“入力５Ａ”とする。またＤＶＤプレーヤであれば“Ｄ1”“Ｄ2”を加えて、“入力５Ｄ1”、“入力Ｄ2”と表示する、などの方式を採ることができる。あるいは、上記のような頭文字ではなく、ＤＶＤプレーヤやアンプのマークやシンボルを表示させるようにしてもよい。
【００５５】
また入力切替メニューの拡張の際に、接続された外部機器の種別に応じて入力切替メニューの表示色を変化させるようにしてもよい。例えば、ＡＶアンプ６０の入力であれば入力切替メニューの“入力５−１”を赤色に表示し、ＤＶＤプレーヤ５１，５２であれば入力切替メニューの“入力５−２”、“入力５−３”を緑色に表示するなどの方式を採ることができる。
【００５６】
さらにテレビ装置７０に対する機器接続が階層構造を備えているときに、各機器の階層位置を表示させるようにしてもよい。階層位置は上記のようにＣＥＣの物理アドレスから判別することができる。例えば、図７に示すように、テレビ装置７０に直接ＨＤＭＩ接続された第一階層の外部機器からの入力は、入力切替メニューにおいて○で囲むようにし、第２階層の外部機器からの入力は、二重の○で囲むようにしてもよい。勿論○でなく□であってもよく、二重線や太線で囲んだり網掛けを施すなど適宜表示設定ができる。
【００５７】
さらにテレビ装置７０に接続されている外部機器の状態を取得し、その状態に応じて入力切替メニューの表示方法を変更するようにしてもよい。例えばテレビ装置７０は、各外部機器の状態情報を送信させるようなＣＥＣコマンドを各機器に送信する。そしてその結果に従って、例えば電源がＯＮになっている機器、ＯＦＦになっている機器を判別する。また電源がＯＮでスタンバイモードに入っているかどうかを判別してもよい。そして電源ＯＦＦの機器を入力切替メニューによって黒く表示したり、上述のように色や形状を変えて表示させる。この場合、ＣＥＣコマンドによって相手機器の電源をＯＮにさせることができるので、電源ＯＦＦの外部機器を選択したときにその外部機器の電源をＯＮにさせるようにしてもよい。
【００５８】
上記の例では、表示装置における入力切替メニューの例を説明したが、ＨＤＭＩ入力端子のポート数に応じて入力を拡張するときに、ダイレクトに入力を切り換える方式の表示装置であっても、その入力切替のトグル順を拡張することにより、表示装置側で切替操作を可能とすることができる。これによりユーザは、外部機器の接続構成を意識することなく、あたかも表示装置に複数の出力機器が接続されているかのような感覚で、簡便に操作を行うことができるようになる。
【００５９】
尚、上記実施形態では、Ｓｉｎｋ機器としてＨＤＭＩ端子を備えるテレビ装置を本発明の表示装置に適用した例で説明したが、本発明では、ＨＤＭＩ端子と入力切替メニューを表示できる表示手段とを備えた機器システムであれば良く、例えばＨＤＭＩ端子を備えるとともに小型ディスプレイを本体部に内蔵したＤＶＤ機器、あるいはＨＤＭＩ端子を備えるとともに本体に外部でディスプレイを接続したＤＶＤ機器等をＳｉｎｋ機器として用いても良い。
【図面の簡単な説明】
【００６０】
【図１】本発明の表示装置の一実施形態を説明するためのブロック図である。
【図２】本発明が適用可能なＡＶシステムの構成例を説明するためのブロック図である。
【図３】本発明に関わるメニュー拡張機能を説明するための図である。
【図４】本発明が適用されたテレビ装置の入力切替メニューの一例を示す図である。
【図５】本発明が適用されたテレビの入力切替メニューの他の例を示す図である。
【図６】本発明が適用されたテレビの入力切替メニューの更に他の例を示す図である。
【図７】本発明が適用されたテレビの入力切替メニューの更に他の例を示す図である。
【図８】ＨＤＭＩ入力端子を一つ備えるテレビの従来の入力切替メニューの一例を示す図である。
【符号の説明】
【００６１】
１０…出力装置、１１…ＨＤＭＩトランスミッタ、１２…ＨＯＳＴ ＣＰＵ、１３…フロントマイコン、１４…ＣＥＣ Ｉ／Ｆ、２０…リピータ機器、２１…ＨＤＭＩレシーバ、２２…ＨＤＭＩトランスミッタ、２３…ＨＯＳＴ ＣＰＵ、２４…フロントマイコン、２５…ＣＥＣ Ｉ／Ｆ、３０…表示装置、３１…ＨＯＳＴ ＣＰＵ、３２…モニターマイコン、３３…ＣＥＣ Ｉ／Ｆ、３４…受光部、３５…リモコン装置、４１…ＴＭＤＳライン、４２…ＣＥＣライン、５１，５２…ＤＶＤプレーヤ、６０…ＡＶアンプ、７０…テレビ装置、１００…テレビ装置、１０１…ＴＶチューナ、１０２…デマルチプレクサ、１０３…ビデオデコーダ、１０４…システム制御部、１０５…バス調停部、１０６，１０７，１０８…外部入力、１０９…ＨＤＭＩ入力Ｉ／Ｆ、１１０…画像処理部、１１１…デバイス駆動部、１１２…フレームメモリ、１１３…表示デバイス、１１４…表示デバイス。
【図１】
2008034976.tif 000003
【図２】
2008034976.tif 000004
【図３】
2008034976.tif 000005
【図４】
2008034976.tif 000006
【図５】
2008034976.tif 000007
【図６】
2008034976.tif 000008
【図７】
2008034976.tif 000009
【図８】
2008034976.tif 000010